(57)【要約】      （修正有）【課題】ＭＢＭＳをサポートするための技術を提供する。【解決手段】ＭＢＭＳサービスのために使用されるリソースはマルチティア構造を備える。第１のティアでは、ＭＢＭＳサービスのためのマルチキャスト制御チャネル（ＭＣＣＨ）のために使用されるリソース（たとえば、サブフレーム）がシステム情報ブロック（ＳＩＢ）中でシグナリングされる。第２ティアでは、ＭＢＭＳサービスのためのデータを搬送するチャネルのためのリソース（サブフレーム）がＭＣＣＨを介してシグナリングされる。セルは、ＭＣＣＨを送るために使用されるリソースを示す情報を備えるＳＩＢを生成する。セルは、ブロードキャスト制御チャネル（ＢＣＣＨ）中でＳＩＢを送り、ＳＩＢ中で送られた情報によって示されたリソース上でＭＣＣＨを送る。セルは、ＭＣＣＨ中で送られた情報に基づいて、ＭＢＭＳサービスのためのデータを搬送する他のチャネルを送る。【選択図】図５Ｂ
2014123965.tif 000002
【特許請求の範囲】
【請求項１】
マルチキャスト制御チャネル（ＭＣＣＨ）を送るために使用されるリソースを決定することと、
前記ＭＣＣＨを送るために使用される前記リソースを示す情報を備えるシステム情報ブロック（ＳＩＢ）を生成することと、
ブロードキャスト制御チャネル（ＢＣＣＨ）中で前記ＳＩＢを送ることとを備える、マルチメディアブロードキャスト／マルチキャストサービス（ＭＢＭＳ）をサポートする方法。
【請求項２】
前記ＭＣＣＨを送るために使用される前記リソースを前記決定することが、前記ＭＣＣＨが送られるサブフレーム、または前記ＭＣＣＨの繰り返し期間、または前記ＭＣＣＨの前記繰り返し期間の開始を示すオフセット、またはそれらの組合せを決定することを備える、請求項１に記載の方法。
【請求項３】
前記ＭＣＣＨの識別情報をさらに備える前記ＳＩＢを生成することをさらに備える、請求項１に記載の方法。
【請求項４】
前記ＭＣＣＨをトランスポートするマルチキャストチャネル（ＭＣＨ）のための変調およびコーディング方式（ＭＣＳ）を決定することと、
前記ＭＣＨのための前記ＭＣＳをさらに備える前記ＳＩＢを生成することとをさらに備える、請求項１に記載の方法。
【請求項５】
ＭＢＭＳサービスを送るために利用可能なサブフレームを決定することと、
ＭＢＭＳサービスを送るために利用可能な前記サブフレームを示す情報をさらに備える前記ＳＩＢを生成することとをさらに備える、請求項１に記載の方法。
【請求項６】
各マルチキャストチャネル（ＭＣＨ）サブフレーム割振りパターン（ＭＳＡＰ）が対応するＭＣＨのために使用されるサブフレームを示す、ＭＢＭＳサービスのためのデータを搬送する少なくとも１つのＭＣＨのための少なくとも１つのＭＳＡＰを決定することと、
前記ＭＣＣＨ中で前記少なくとも１つのＭＳＡＰを送ることとをさらに備える、請求項１に記載の方法。
【請求項７】
ＭＢＭＳサービスのためのデータを搬送する少なくとも１つのマルチキャストチャネル（ＭＣＨ）のための少なくとも１つの変調およびコーディング方式（ＭＣＳ）を決定することと、
前記ＭＣＣＨ中で前記少なくとも１つのＭＣＨのための前記少なくとも１つのＭＣＳを送ることとをさらに備える、請求項１に記載の方法。
【請求項８】
ＭＢＭＳサービスのためのデータを搬送する少なくとも１つのマルチキャストチャネル（ＭＣＨ）へのＭＢＭＳサービスのマッピングを決定することと、
前記ＭＣＣＨ中で前記マッピングを送ることとをさらに備える、請求項１に記載の方法。
【請求項９】
前記ＳＩＢを前記生成することが、前記ＭＣＣＨを送るために使用される前記リソースを示す前記情報を備えるシステム情報ブロックタイプ２（ＳＩＢ２）またはシステム情報ブロックタイプｘ（ＳＩＢｘ）を生成することを備え、ｘが、２よりも大きい値である、請求項１に記載の方法。
【請求項１０】
マルチキャスト制御チャネル（ＭＣＣＨ）を送るために使用されるリソースを決定するための手段と、
前記ＭＣＣＨを送るために使用される前記リソースを示す情報を備えるシステム情報ブロック（ＳＩＢ）を生成するための手段と、
ブロードキャスト制御チャネル（ＢＣＣＨ）中で前記ＳＩＢを送るための手段とを備える、マルチメディアブロードキャスト／マルチキャストサービス（ＭＢＭＳ）をサポートするための装置。
【請求項１１】
前記ＭＣＣＨを送るために使用される前記リソースを前記決定することが、前記ＭＣＣＨが送られるサブフレーム、または前記ＭＣＣＨの繰り返し期間、または前記ＭＣＣＨの前記繰り返し期間の開始を示すオフセット、またはそれらの組合せを決定することを備える、請求項１０に記載の装置。
【請求項１２】
前記ＭＣＣＨをトランスポートするマルチキャストチャネル（ＭＣＨ）のための変調およびコーディング方式（ＭＣＳ）を決定するための手段と、
前記ＭＣＨのための前記ＭＣＳをさらに備える前記ＳＩＢを生成するための手段とをさらに備える、請求項１０に記載の装置。
【請求項１３】
各マルチキャストチャネル（ＭＣＨ）サブフレーム割振りパターン（ＭＳＡＰ）が対応するＭＣＨのために使用されるサブフレームを示す、ＭＢＭＳサービスのためのデータを搬送する少なくとも１つのＭＣＨのための少なくとも１つのＭＳＡＰを決定するための手段と、
前記ＭＣＣＨ中で前記少なくとも１つのＭＳＡＰを送るための手段とをさらに備える、請求項１０に記載の装置。
【請求項１４】
ＭＢＭＳサービスのためのデータを搬送する少なくとも１つのマルチキャストチャネル（ＭＣＨ）のための少なくとも１つの変調およびコーディング方式（ＭＣＳ）を決定するための手段と、
前記ＭＣＣＨ中で前記少なくとも１つのＭＣＨのための前記少なくとも１つのＭＣＳを送るための手段とをさらに備える、請求項１０に記載の装置。
【請求項１５】
マルチキャスト制御チャネル（ＭＣＣＨ）を送るために使用されるリソースを決定することと、
前記ＭＣＣＨを送るために使用される前記リソースを示す情報を備えるシステム情報ブロック（ＳＩＢ）を生成することと、
ブロードキャスト制御チャネル（ＢＣＣＨ）中で前記ＳＩＢを送ることと
を行うように構成された少なくとも１つのプロセッサを備える、マルチメディアブロードキャスト／マルチキャストサービス（ＭＢＭＳ）をサポートするための装置。
【請求項１６】
前記少なくとも１つのプロセッサが、
前記ＭＣＣＨが送られるサブフレーム、または前記ＭＣＣＨの繰り返し期間、または前記ＭＣＣＨの前記繰り返し期間の開始を示すオフセット、またはそれらの組合せを決定することを行うように構成された、請求項１５に記載の装置。
【請求項１７】
前記少なくとも１つのプロセッサが、
前記ＭＣＣＨをトランスポートするマルチキャストチャネル（ＭＣＨ）のための変調およびコーディング方式（ＭＣＳ）を決定することと、
前記ＭＣＨのための前記ＭＣＳをさらに備える前記ＳＩＢを生成することとを行うように構成された、請求項１５に記載の装置。
【請求項１８】
前記少なくとも１つのプロセッサが、
各マルチキャストチャネル（ＭＣＨ）サブフレーム割振りパターン（ＭＳＡＰ）が対応するＭＣＨのために使用されるサブフレームを示す、ＭＢＭＳサービスのためのデータを搬送する少なくとも１つのＭＣＨのための少なくとも１つのＭＳＡＰを決定することと、
前記ＭＣＣＨ中で前記少なくとも１つのＭＳＡＰを送ることとを行うように構成された、請求項１５に記載の装置。
【請求項１９】
前記少なくとも１つのプロセッサが、
ＭＢＭＳサービスのためのデータを搬送する少なくとも１つのマルチキャストチャネル（ＭＣＨ）のための少なくとも１つの変調およびコーディング方式（ＭＣＳ）を決定することと、
前記ＭＣＣＨ中で前記少なくとも１つのＭＣＨのための前記少なくとも１つのＭＣＳを送ることとを行うように構成された、請求項１５に記載の装置。
【請求項２０】
少なくとも１つのコンピュータに、マルチキャスト制御チャネル（ＭＣＣＨ）を送るために使用されるリソースを決定させるためのコードと、
前記少なくとも１つのコンピュータに、前記ＭＣＣＨを送るために使用される前記リソースを示す情報を備えるシステム情報ブロック（ＳＩＢ）を生成させるためのコードと、
前記少なくとも１つのコンピュータに、ブロードキャスト制御チャネル（ＢＣＣＨ）中で前記ＳＩＢを送らせるためのコードと
を備える非一時的コンピュータ可読媒体を備える、コンピュータプログラム製品。
【請求項２１】
ブロードキャスト制御チャネル（ＢＣＣＨ）からシステム情報ブロック（ＳＩＢ）を受信することと、
マルチキャスト制御チャネル（ＭＣＣＨ）を送るために使用されるリソースを示す情報を前記ＳＩＢから取得することと、
前記ＳＩＢから取得された前記情報によって示される前記リソース上で前記ＭＣＣＨを受信することとを備える、マルチメディアブロードキャスト／マルチキャストサービス（ＭＢＭＳ）を受信する方法。
【請求項２２】
前記ＳＩＢから取得された前記情報が、前記ＭＣＣＨが送られるサブフレーム、または前記ＭＣＣＨの繰り返し期間、または前記ＭＣＣＨの前記繰り返し期間の開始を示すオフセット、またはそれらの組合せを示す、請求項２１に記載の方法。
【請求項２３】
前記ＳＩＢから前記ＭＣＣＨの識別情報を取得することをさらに備える、請求項２１に記載の方法。
【請求項２４】
前記ＭＣＣＨをトランスポートするマルチキャストチャネル（ＭＣＨ）のための変調およびコーディング方式（ＭＣＳ）を前記ＳＩＢから取得することと、
前記ＭＣＣＨを復元するために前記ＭＣＳに基づいて前記ＭＣＨを復号することとをさらに備える、請求項２１に記載の方法。
【請求項２５】
ＭＢＭＳサービスを送るために利用可能なサブフレームを示す情報を前記ＳＩＢから取得することと、
ＭＢＭＳサービスを送るために利用可能な前記サブフレームを示す前記情報に基づいて前記ＭＢＭＳを送る前記サブフレームを決定することとをさらに備える、請求項２２に記載の方法。
【請求項２６】
各マルチキャストチャネル（ＭＣＨ）サブフレーム割振りパターン（ＭＳＡＰ）が対応するＭＣＨのために使用されるサブフレームを示す、少なくとも１つのＭＣＨのための少なくとも１つのＭＳＡＰを前記ＭＣＣＨから取得することと、
ＭＢＭＳサービスのためのデータを搬送する前記少なくとも１つのＭＣＨを復元するために、前記少なくとも１つのＭＳＡＰによって示されるサブフレームを処理することとをさらに備える、請求項２１に記載の方法。
【請求項２７】
少なくとも１つのマルチキャストチャネル（ＭＣＨ）のための少なくとも１つの変調およびコーディング方式（ＭＣＳ）を前記ＭＣＣＨから取得することと、
少なくとも１つのＭＢＭＳサービスのためのデータを取得するために、前記少なくとも１つのＭＣＳに基づいて前記少なくとも１つのＭＣＨを復号することとをさらに備える、請求項２１に記載の方法。
【請求項２８】
少なくとも１つのマルチキャストチャネル（ＭＣＨ）へのＭＢＭＳサービスのマッピングを前記ＭＣＣＨから取得することと、
前記マッピングに基づいて少なくとも１つのＭＢＭＳサービスを受信することとをさらに備える、請求項２１に記載の方法。
【請求項２９】
前記ＳＩＢを前記受信することが、前記ＭＣＣＨを送るために使用される前記リソースを示す前記情報を備えるシステム情報ブロックタイプ２（ＳＩＢ２）またはシステム情報ブロックタイプｘ（ＳＩＢｘ）を受信することを備え、ｘが、２よりも大きい値である、請求項２１に記載の方法。
【請求項３０】
ブロードキャスト制御チャネル（ＢＣＣＨ）からシステム情報ブロック（ＳＩＢ）を受信するための手段と、
マルチキャスト制御チャネル（ＭＣＣＨ）を送るために使用されるリソースを示す情報を前記ＳＩＢから取得するための手段と、
前記ＳＩＢから取得された前記情報によって示される前記リソース上で前記ＭＣＣＨを受信するための手段とを備える、マルチメディアブロードキャスト／マルチキャストサービス（ＭＢＭＳ）を受信するための装置。
【請求項３１】
前記ＳＩＢから取得された前記情報が、前記ＭＣＣＨが送られるサブフレーム、または前記ＭＣＣＨの繰り返し期間、または前記ＭＣＣＨの前記繰り返し期間の開始を示すオフセット、またはそれらの組合せを示す、請求項３０に記載の装置。
【請求項３２】
前記ＭＣＣＨをトランスポートするマルチキャストチャネル（ＭＣＨ）のための変調およびコーディング方式（ＭＣＳ）を前記ＳＩＢから取得するための手段と、
前記ＭＣＣＨを復元するために前記ＭＣＳに基づいて前記ＭＣＨを復号するための手段とをさらに備える、請求項３０に記載の装置。
【請求項３３】
各マルチキャストチャネル（ＭＣＨ）サブフレーム割振りパターン（ＭＳＡＰ）が対応するＭＣＨのために使用されるサブフレームを示す、少なくとも１つのＭＣＨのための少なくとも１つのＭＳＡＰを前記ＭＣＣＨから取得するための手段と、
前記少なくとも１つのＭＣＨを復元するために、前記少なくとも１つのＭＳＡＰによって示されるサブフレームを処理するための手段とをさらに備える、請求項３０に記載の装置。
【請求項３４】
少なくとも１つのマルチキャストチャネル（ＭＣＨ）のための少なくとも１つの変調およびコーディング方式（ＭＣＳ）を前記ＭＣＣＨから取得するための手段と、
前記少なくとも１つのＭＣＳに基づいて前記少なくとも１つのＭＣＨを復号するための手段とをさらに備える、請求項３０に記載の装置。
【請求項３５】
ブロードキャスト制御チャネル（ＢＣＣＨ）からシステム情報ブロック（ＳＩＢ）を受信することと、
マルチキャスト制御チャネル（ＭＣＣＨ）を送るために使用されるリソースを示す情報を前記ＳＩＢから取得することと、
前記ＳＩＢから取得された前記情報によって示される前記リソース上で前記ＭＣＣＨを受信することと
を行うように構成された少なくとも１つのプロセッサを備える、マルチメディアブロードキャスト／マルチキャストサービス（ＭＢＭＳ）を受信するための装置。
【請求項３６】
少なくとも１つのコンピュータに、ブロードキャスト制御チャネル（ＢＣＣＨ）からシステム情報ブロック（ＳＩＢ）を受信させるためのコードと、
前記少なくとも１つのコンピュータに、マルチキャスト制御チャネル（ＭＣＣＨ）を送るために使用されるリソースを示す情報を前記ＳＩＢから取得させるためのコードと、
前記少なくとも１つのコンピュータに、前記ＳＩＢから取得された前記情報によって示される前記リソース上で前記ＭＣＣＨを受信させるためのコードと
を備える非一時的コンピュータ可読媒体を備える、コンピュータプログラム製品。
【発明の詳細な説明】
【技術分野】
【０００１】
本出願は、本発明の譲受人に譲渡され、参照により本明細書に組み込まれる、２００９年８月１２日に出願された「MULTIMEDIA BROADCAST MULTICAST SINGLE FREQUENCY NETWORK (MBSFN) RESOURCE SPECIFICATION」と題する米国仮出願第６１／２３３，１８１号の優先権を主張する。
【０００２】
本開示は、一般に通信に関し、より詳細には、ワイヤレス通信ネットワークにおいてブロードキャスト／マルチキャストサービスをサポートするための技法に関する。
【背景技術】
【０００３】
ワイヤレス通信ネットワークは、ボイス、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、ブロードキャストサービス、マルチキャストサービス、およびユニキャストサービスをサポートし得る。ブロードキャストサービスは、たとえば、ニュースブロードキャストなど、すべてのユーザによって受信され得るサービスである。マルチキャストサービスは、たとえば、サブスクリプションビデオサービスなど、ユーザのグループによって受信され得るサービスである。ユニキャストサービスは、たとえば、ボイス呼など、特定のユーザを対象とするサービスである。ワイヤレスネットワークにおいてブロードキャスト／マルチキャストサービスを効率的にサポートすることが望ましいことがある。
【発明の概要】
【０００５】
本明細書では、ワイヤレス通信ネットワークにおいてマルチメディアブロードキャスト／マルチキャストサービス（ＭＢＭＳ）をサポートするための技法について説明する。一態様では、ＭＢＭＳサービスのために使用されるリソースは、マルチティア（multi-tier）構造を備え得る。第１のティアでは、ＭＢＭＳサービスのためのマルチキャスト制御チャネル（ＭＣＣＨ）のために使用されるリソース（たとえば、サブフレーム）がシステム情報ブロック（ＳＩＢ）中でシグナリングされ得る。第２ティアでは、ＭＢＭＳサービスのためのデータを搬送するチャネルのためのリソース（たとえば、サブフレーム）がＭＣＣＨを介してシグナリングされ得る。
【０００６】
１つの設計では、基地局／セルが、ＭＣＣＨを送るために使用されるリソース（たとえば、サブフレーム）を決定し得る。セルは、ＭＣＣＨを送るために使用されるリソースを示す情報を備えるＳＩＢを生成し得る。セルは、ブロードキャスト制御チャネル（ＢＣＣＨ）中でＳＩＢを送り得る。セルは、ＳＩＢ中で送られた情報によって示されたリソース上でＭＣＣＨを送り得る。セルは、ＭＣＣＨ中で送られた情報に基づいて、ＭＢＭＳサービスのためのデータを搬送する他のチャネルを送り得る。
【０００７】
１つの設計では、ユーザ機器（ＵＥ）がＢＣＣＨからＳＩＢを受信し得る。ＵＥは、ＭＣＣＨを送るために使用されるリソースを示す情報をＳＩＢから取得し得る。ＵＥは、ＳＩＢから取得された情報によって示されるリソース上でＭＣＣＨを受信し得る。ＵＥは、ＭＣＣＨ中で送られた情報に基づいて、当該の少なくとも１つのＭＢＭＳサービスのためのデータを搬送する他のチャネルを受信し得る。
【０００８】
本開示の様々な態様および特徴について以下でさらに詳細に説明する。
【図面の簡単な説明】
【０００９】
【図１】ワイヤレス通信ネットワークを示す図。
【図２】例示的なフレーム構造を示す図。
【図３】ＭＢＭＳサービスのためのサブフレームを示す図。
【図４】ＭＢＭＳのための様々なチャネルの例示的な送信を示す図。
【図５Ａ】ＭＣＣＨのための情報を搬送するＳＩＢの図。
【図５Ｂ】ＭＣＣＨのための情報を搬送するＳＩＢの図。
【図６】
【図７】ＭＢＭＳサービスをサポートするためのプロセスを示す図。
【図８】ＭＢＭＳサービスをサポートするための装置を示す図。
【図９】ＭＢＭＳサービスを受信するためのプロセスを示す図。
【図１０】ＭＢＭＳサービスを受信するための装置を示す図。
【図１１】基地局およびＵＥのブロック図。
【発明を実施するための形態】
【００１０】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ  ＣＤＭＡ（ＷＣＤＭＡ）(登録商標）およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）(登録商標）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。周波数分割複信（ＦＤＤ）モードと時分割複信（ＴＤＤ）モードの両方における３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００１１】
図１に、ＬＴＥネットワークまたは何らかの他のワイヤレスネットワークであり得る、ワイヤレス通信ネットワーク１００を示す。ワイヤレスネットワーク１００は、いくつかの進化型ノードＢ（ｅＮＢ）および他のネットワークエンティティを含み得る。簡単のために、図１には、３つのｅＮＢ１１０ａ、１１０ｂおよび１１０ｃならびに１つのネットワークコントローラ１３０のみを示す。ｅＮＢは、ＵＥと通信するエンティティであり得、基地局、ノードＢ、アクセスポイントなどとも呼ばれることがある。各ｅＮＢ１１０は、特定の地理的エリアに対して通信カバレージを提供し得、カバレージエリア内に位置するＵＥのための通信をサポートし得る。ネットワーク容量を改善するために、ｅＮＢの全体的なカバレージエリア１２０は複数（たとえば、３つ）のより小さいエリア１０４ａ、１０４ｂおよび１０４ｃに区分され得る。より小さいエリアの各々は、それぞれのｅＮＢサブシステムによってサービスされ得る。３ＧＰＰでは、「セル」という用語は、このカバレージエリアにサービスしているｅＮＢおよび／またはｅＮＢサブシステムの最も小さいカバレージエリアを指すことができる。３ＧＰＰ２では、「セクタ」または「セルセクタ」という用語は、基地局のカバレージエリア、および／またはこのカバレージエリアにサービスする基地局サブシステムのカバレージエリアを指すことができる。明快のために、以下の説明ではセルの３ＧＰＰ概念を使用する。
【００１２】
ＵＥ１２０はワイヤレスネットワーク全体に分散され得、各ＵＥは固定または移動であり得る。ＵＥは、移動局、端末、アクセス端末、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどであり得る。ＵＥは、ダウンリンクおよびアップリンクを介してｅＮＢと通信することができる。ダウンリンク（または順方向リンク）はｅＮＢからＵＥへの通信リンクを指し、アップリンク（または逆方向リンク）はＵＥからｅＮＢへの通信リンクを指す。図１で、両矢印をもつ実線は、ｅＮＢとＵＥとの間の双方向通信を示す。片矢印をもつ破線は、たとえば、ＵＥがｅＮＢからブロードキャストサービスおよび／またはマルチキャストサービスのためのダウンリンク信号を受信することを示す。
【００１３】
ワイヤレスネットワーク１００は、複数のＵＥのためのＭＢＭＳサービスならびに個々のＵＥのためのユニキャストサービスをサポートし得る。ＭＢＭＳサービスはブロードキャストサービスまたはマルチキャストサービスであり得る。ＭＢＭＳサービスは、マルチセルモード、シングルセルモード、および／または他のモードを用いてサポートされ得る。マルチセルモードでは、受信パフォーマンスを改善するために、ＵＥが複数のセルから受信した信号を組み合わせることを可能にし得る、マルチメディアブロードキャスト単一周波数ネットワーク（ＭＢＳＦＮ）を使用して、複数のセルがＭＢＭＳ送信を同時に送り得る。シングルセルモードでは、セルは単独でＭＢＳＦＮ送信を送り得る。
【００１４】
ＬＴＥでは、データおよびオーバーヘッド情報は無線リンク制御（ＲＬＣ）レイヤにおいて論理チャネルとして処理される。論理チャネルは、媒体アクセス制御（ＭＡＣ）レイヤにおいてトランスポートチャネルにマッピングされる。トランスポートチャネルは物理レイヤ（ＰＨＹ）において物理チャネルにマッピングされる。表１に、ＭＢＭＳをサポートするためにＬＴＥ中で使用される、（「Ｌ」として示される）いくつかの論理チャネルと、（「Ｔ」として示される）トランスポートチャネルと、（「Ｐ」として示される）物理チャネルとを記載し、各チャネルの簡単な説明を与える。
【表１】
2014123965.tif 000003
【００１５】
ＢＣＣＨは、システム情報ブロック（ＳＩＢ）を搬送し得、各ＳＩＢは、セルと通信することおよび／またはセルからデータを受信することに関係するいくつかのシステム情報を含む。ＭＣＣＨは、ＭＢＭＳサービスを受信するために使用される制御情報、たとえば、進行中のセッションとのＭＢＭＳサービスのリスト、ＭＴＣＨを受信するために使用される情報を搬送することができる。ＭＴＣＨは、ＭＢＭＳサービスのためのデータを搬送し得る。
【００１６】
図２に、ＬＴＥにおけるダウンリンクのための例示的なフレーム構造２００を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは、Ｌ個のシンボル期間、たとえば、通常の巡回プレフィックスの場合は１４個のシンボル期間、または拡張された巡回プレフィックスの場合は１２個のシンボル期間（図２に図示せず）を含み得る。
【００１７】
セルの利用可能な無線フレームの一部または全部は、ＭＢＳＦＮ無線フレームとして指定され得る。ＭＢＳＦＮ無線フレームは、ＭＢＭＳサービスおよび他の指定されたサービスが送られ得る無線フレームである。図２に示す例では、１つおきの無線フレームがＭＢＳＦＮ無線フレームとして指定される。各ＭＢＳＦＮ無線フレーム内では、１つまたは複数のサブフレームがＭＢＳＦＮサブフレームとして指定され得る。ＭＢＳＦＮサブフレームは、ＭＢＭＳサービスおよび他の指定されたサービスが送られ得るサブフレームである。ＭＢＳＦＮサブフレームは、特定のＵＥにユニキャストデータを送るために使用される標準サブフレームとは異なるフォーマットを有し得る。図２に示す例では、各ＭＢＳＦＮ無線フレームのサブフレーム２、３および６がＭＢＳＦＮサブフレームとして指定される。各ＭＢＳＦＮ無線フレーム中の１つまたは複数のＭＢＳＦＮサブフレームがＭＢＭＳサブフレームとして指定され得る。ＭＢＭＳサブフレームは、ＭＢＭＳサービスのためのＭＢＭＳ送信が送られ得るサブフレームである。図２に示す例では、各ＭＢＳＦＮ無線フレームのサブフレーム２および６がＭＢＭＳサブフレームとして指定される。
【００１８】
ＭＢＳＦＮエリア中のセルのグループが、いくつかのＭＢＭＳサービスのためのＭＢＭＳ送信をまとめて送り得、各セルは、同じＭＢＭＳ送信を送る。ＵＥは、セルのグループからＭＢＭＳ送信を受信し得、ＭＢＭＳ送信は、ＵＥに対して単一の送信として見え得る。セルのグループは、ＭＢＭＳ送信のために１つのＭＣＣＨおよび１つまたは複数のＭＴＣＨを送信し得る。ＭＣＣＨは、すべてＭＴＣＨのための制御情報を搬送し得る。各ＭＴＣＨは、１つまたは複数のＭＢＭＳサービスのためのデータを搬送し得る。セルのグループは、１つまたは複数のＭＣＨを送信し得る。ＭＣＣＨは１つのＭＣＨ中で送られ得、１つまたは複数のＭＴＣＨが各ＭＣＨ中で送られ得る。複数のＭＣＨは、（ｉ）異なるサービス品質（ＱｏＳ）要件をもつＭＢＭＳサービスの異なるグループ、および／または（ｉｉ）より多くのＭＢＭＳサービスをサポートするために使用され得る。
【００１９】
図３に、ＭＣＨのためのＭＢＭＳサブフレームの例示的なシーケンスを示す。ＭＣＨは、ＭＣＨサブフレーム割振りパターン（ＭＳＡＰ）によって定義され得る、ＭＢＭＳサブフレームのシーケンス中で送られ得る。ＭＳＡＰは、ＭＢＳＦＮサブフレームのうち、ＭＣＨのために使用されるＭＢＳＦＮサブフレームを示す。概して、ＭＣＨのためのＭＳＡＰは、利用可能なＭＢＭＳサブフレームのすべてまたはサブセットを含み得る。ＭＣＨのために使用されるＭＢＭＳサブフレームは、ＭＣＨサブフレームと呼ばれ、図３に「Ｚ」として示される。図３のＭＢＭＳサブフレームの例示的なシーケンスは、いくつかの無線フレーム中のサブフレーム２、３および６がＭＢＳＦＮサブフレームである、図２に示す例示的なＭＢＭＳ構成に対応する。ＭＢＭＳサブフレームのシーケンスは、ＭＣＨ割振り期間、ＭＳＡＰ期間、ＭＳＡＰオケージョンなどと呼ばれることがある、特定の時間期間にわたる。ＭＢＭＳサブフレームのシーケンスは各ＭＣＨ割振り期間中で繰り返すことになる。
【００２０】
図３に示す例では、ＭＢＭＳサブフレームのシーケンスは、１つのＭＢＳＦＮ無線フレームのＭＣＨ割振り期間にわたる。ＭＢＳＦＮ無線フレームは、３つのＭＢＳＦＮサブフレーム２、３および６を含み、ＭＢＭＳサブフレームのシーケンスは、ＭＢＳＦＮ無線フレーム中のＭＢＭＳサブフレーム２および６を含む。概して、各ＭＣＨは、そのＭＣＨのためのＭＳＡＰによって定義されるＭＢＭＳサブフレームの特定のシーケンスに関連付けられ得る。
【００２１】
図４に、ＭＣＣＨおよびＭＴＣＨの例示的な送信を示す。図４に示す例では、セルのグループは、ＭＣＨ１およびＭＣＨ２と呼ばれる２つのＭＣＨを送信する。セルのグループは、ＭＣＨ１においてＭＣＣＨおよびＭＴＣＨ１、２、３および４を送信し、ＭＣＨ２においてＭＴＣＨ１’、２’および３’を送信する。明快のために、図４では、ＭＢＭＳサブフレームのみを示し、すべての他のサブフレームを省略してある。
【００２２】
セルのグループは、各ＭＣＨスケジューリング期間中に各ＭＣＨのためのスケジューリング情報を送信し得る。スケジューリング情報は、ＭＣＨスケジューリング情報（ＭＳＩ）、動的スケジューリング情報（ＤＳＩ）などと呼ばれることもある。１つの設計では、各ＭＣＨのためのスケジューリング情報は、現在のＭＣＨスケジューリング期間中に、そのＭＣＨ中で送られるＭＴＣＨのためにどのＭＢＭＳサブフレームが使用されるのかを伝達し得る。スケジューリング情報はまた、当該のＭＢＭＳサービスを受信するためにＵＥによって使用される他の情報を伝達し得る。スケジューリング情報は、媒体アクセス制御（ＭＡＣ）制御要素中で、またはＭＣＣＨ中で、または何からの他のチャネルまたは機構を介して送られ得る。
【００２３】
セルのグループは、ＭＴＣＨより前に、各ＭＣＣＨ繰り返し期間の開始時にＭＣＣＨを送信し得る。セルのグループはまた、各ＭＣＨのためのスケジューリング情報によって示されるそのＭＣＨのための（１つまたは複数の）ＭＴＣＨを送信し得る。
【００２４】
１つの設計では、ＭＢＳＦＮサブフレームを伝達するために、情報がシステム情報ブロックタイプ２（ＳＩＢ２）中で送られ得る。ＭＢＳＦＮサブフレームを伝達するために使用される情報はＭＢＳＦＮサブフレーム情報と呼ばれることがある。ＭＢＳＦＮサブフレーム情報は以下のフォーマットを有し得る。
【数１】
2014123965.tif 000004
【００２５】
上記で示した設計では、ＭＢＳＦＮサブフレーム情報は、ＭＢＳＦＮサブフレームのセットのためのサブフレーム割振りパターン（ＳＡＰ）を指定するＭＢＳＦＮ−ＳｕｂｆｒａｍｅＣｏｎｆｉｇＬｉｓｔを備える。ＭＢＳＦＮ−ＳｕｂｆｒａｍｅＣｏｎｆｉｇＬｉｓｔは、ＭＢＳＦＮ−ＳｕｂｆｒａｍｅＣｏｎｆｉｇの１つまたは複数のインスタンスを含む。各ＭＢＳＦＮ−ＳｕｂｆｒａｍｅＣｏｎｆｉｇインスタンスは、３つのパラメータに基づいてＭＢＳＦＮサブフレームのシーケンスを定義する。ｒａｄｉｏｆｒａｍｅＡｌｌｏｃａｔｉｏｎＰｅｒｉｏｄパラメータはＭＢＳＦＮサブフレームシーケンスの長さを指定し、この長さは１、２、４、８、１８または３２無線フレームであり得る。ｒａｄｉｏｆｒａｍｅＡｌｌｏｃａｔｉｏｎＯｆｆｓｅｔパラメータは、どの無線フレームがＭＢＳＦＮ無線フレームであるかを指定し、０〜７の範囲内のオフセットによって与えられる。各無線フレームは、１２ビットのシステムフレーム番号（ＳＦＮ）を割り当てられる。ＳＦＮは、特定の時間に０にリセットされ、その後各無線フレームごとに１だけ増分され、最大値４０９５に達した後０にラップアラウンドする。無線フレームは、それのＳＦＮが以下を満たす場合はＭＢＳＦＮ無線フレームである。
【数２】
2014123965.tif 000005
【００２６】
「ｍｏｄ」はモジュロ演算を示す。
【００２７】
式（１）を満たす無線フレームから開始して、１つのＭＢＳＦＮ無線フレームまたは４つの連続するＭＢＳＦＮ無線フレームのいずれかが定義され得る。ｓｕｂｆｒａｍｅＡｌｌｏｃａｔｉｏｎパラメータは、どのサブフレームがＭＢＳＦＮサブフレームであるかを指定し、（ｉ）１つのＭＢＳＦＮ無線フレームが定義されるときは６ビットのビットマップによって、または（ｉｉ）４つの連続するＭＢＳＦＮ無線フレームが定義されるときは２４ビットのビットマップによって与えられる。ＦＤＤの場合、各ビットマップは、各ＭＢＳＦＮサブフレームのサブフレーム１、２、３、６、７および８に対応する６ビットを含む。ＴＤＤの場合、各ビットマップは、各ＭＢＳＦＮサブフレームのサブフレーム３、４、７、８および９に対応する５ビットを含む。各ビットは、（ｉ）対応するサブフレームがＭＢＳＦＮサブフレームであることを示すために「１」に、または（ｉｉ）対応するサブフレームがＭＢＳＦＮサブフレームでないことを示すために「０」に設定され得る。ＦＤＤではサブフレーム０、４、５および９が、ＴＤＤではサブフレーム０、１、２、５および６が、ユニキャストのために予約される。ｓｕｂｆｒａｍｅＡｌｌｏｃａｔｉｏｎ中のビットマップは、ＭＢＳＦＮサブフレームを指定するために使用され、ＭＢＳＦＮビットマップと呼ばれ得る。
【００２８】
図３に示す例では、ＭＢＳＦＮ−ＳｕｂｆｒａｍｅＣｏｎｆｉｇは、２つの無線フレームのｒａｄｉｏｆｒａｍｅＡｌｌｏｃａｔｉｏｎＰｅｒｉｏｄと、１つのＭＢＳＦＮサブフレームのための６ビットのＭＢＳＦＮビットマップ「０１１１００」によって与えられるｓｕｂｆｒａｍｅＡｌｌｏｃａｔｉｏｎとを有する。このビットマップは、（ｉ）各ＭＢＳＦＮ無線フレーム中のサブフレーム２、３および６はＭＢＳＦＮサブフレームであり、（ｉｉ）各ＭＢＳＦＮ無線フレーム中のサブフレーム１、７および８はＭＢＳＦＮサブフレームでないことを示す。
【００２９】
一態様では、ＭＢＭＳサービスのために使用されるリソースはマルチティア構造を備え得る。第１のティアでは、ＭＣＣＨのために使用されるリソースは、ＳＩＢ中でシグナリングされ得る。第２ティアでは、ＭＢＭＳサービスのための他のチャネル（たとえば、ＭＴＣＨおよび／またはＭＣＨ）のためのリソースは、ＭＣＣＨを介してシグナリングされ得る。１つの設計では、ＭＣＣＨのために使用されるリソースは、ＭＣＣＨが送信される特定のサブフレームによって与えられ得る。ＭＣＣＨのために使用されるリソース（たとえば、サブフレーム）を伝達する情報は、ＭＣＣＨリソース情報と呼ばれることがある。
【００３０】
第１の設計では、ＭＣＣＨリソース情報は、ＳＩＢ２中でシグナリングされ得、以下のうちの１つまたは複数を含み得る。
【００３１】
・ＭＣＣＨの識別情報（ＩＤ）を与える、ＭＣＣＨ識別情報、
・ＭＣＣＨのために使用されるサブフレームを示す、ＭＣＣＨサブフレーム、
・ＭＣＣＨが繰り返される期間を示す、ＭＣＣＨ繰り返し期間、および
・ＭＣＣＨ繰り返し期間のための開始無線フレームを示す、ＭＣＣＨオフセット。
【００３２】
異なるＭＢＳＦＮエリアのための異なるＭＣＣＨに異なるＭＣＣＨ  ＩＤが割り当てられ得る。ＭＣＣＨ  ＩＤにより、複数のＭＢＳＦＮエリアをサポートするＵＥが、これらの異なるＭＢＳＦＮエリアのためのＭＣＣＨを区別することが可能になり得る。
【００３３】
第１の設計では、ＭＣＣＨリソース情報は、ＳＩＢ２中で送られるＭＢＳＦＮサブフレーム情報に依拠し得る。ＭＣＣＨリソース情報は、ＳＩＢ２中で送られるＳｕｂｆｒａｍｅＣｏｎｆｉｇＬｉｓｔの拡張／追加と見なされ得る。
【００３４】
ＭＣＣＨサブフレームは、どのサブフレームが、ＭＢＳＦＮ−ＳｕｂｆｒａｍｅＣｏｎｆｉｇＬｉｓｔによって指定され得るＭＢＳＦＮサブフレームとして指定されるかに依存し得る。１つの設計では、ＭＣＣＨリソース情報は、ＭＣＣＨサブフレームのインデックス、またはＭＣＣＨサブフレームに対応するオフセットを含み得る。別の設計では、ＭＣＣＨリソース情報は、どのサブフレームがＭＣＣＨサブフレームであるのかを示し得るビットマップを含み得る。
【００３５】
ＭＣＣＨ繰り返し期間は、ＭＣＣＨが繰り返される期間を示し得る。ＭＣＣＨ繰り返し期間は、（以下で仮定する）無線フレームまたはサブフレームの単位で与えられ得る。ＭＣＣＨ繰り返し期間は、ＭＢＳＦＮサブフレームを指定するために使用されるｒａｄｉｏｆｒａｍｅＡｌｌｏｃａｔｉｏｎＰｅｒｉｏｄに一致することも一致しないこともあり得る。たとえば、図３では、ＭＣＣＨ繰り返し期間は、４つの無線フレームであり得、２つのｒａｄｉｏｆｒａｍｅＡｌｌｏｃａｔｉｏｎＰｅｒｉｏｄｓをカバーし得る。１つの設計では、ＭＣＣＨ繰り返し期間は、図３に示したように、第１のＭＢＳＦＮ無線フレームにおいて開始し得る。この設計では、ＭＣＣＨオフセットは、０に等しくなり得、省略され得る。別の設計では、ＭＣＣＨオフセットは、ＭＣＣＨ繰り返し期間の開始として使用すべきＭＢＳＦＮ無線フレームを指定するために使用され得る。
【００３６】
第２の設計では、ＭＣＣＨリソース情報は、ＳＩＢｘと呼ばれることがある別のＳＩＢ中でシグナリングされ得る。たとえば、ＳＩＢｘは、ＳＩＢ１３または何らかの他のＳＩＢに対応し得る。ＳＩＢｘは、以下のうちの１つまたは複数を含み得る。
【００３７】
・ＭＣＣＨの識別情報を示す、ＭＣＣＨ識別情報、
・ＭＢＭＳサービスのために利用可能なサブフレームを示す、ＭＢＭＳサブフレーム割振り、
・ＭＣＣＨのために使用されるサブフレームを示す、ＭＣＣＨサブフレーム、
・ＭＣＣＨが繰り返される期間を示す、ＭＣＣＨ繰り返し期間、および
・ＭＣＣＨ繰り返し期間のための開始無線フレームを示す、ＭＣＣＨオフセット。
【００３８】
第２の設計では、ＳＩＢｘは、ＳＩＢ２中で送られるＭＢＳＦＮサブフレーム情報に依拠することなしに、ＭＣＣＨのために使用されるリソースを伝達することができる。特に、ＳＩＢｘは、（ｉ）第１の設計の場合のＳＩＢ２中で送られるＭＣＣＨリソース情報、および（ｉｉ）ＭＢＭＳサブフレームを示すＭＢＭＳサブフレーム情報を含むことができる。１つの設計では、ＭＢＭＳサブフレーム情報はＭＢＳＦＮ−ＳｕｂｆｒａｍｅＣｏｎｆｉｇＬｉｓｔを備え得る。別の設計では、ＭＢＭＳサブフレーム情報は他の情報と組み合わされ得る。たとえば、ＭＢＭＳサブフレームのためのＭＢＳＦＮビットマップと、ＭＣＣＨをトランスポートするＭＣＨのためのサブフレームのためのＭＣＨビットマップとの両方を送る代わりに、ＭＣＣＨサブフレームを伝達するために、単一のビットマップがＳＩＢｘ中で送られ得る。
【００３９】
第１および第２の両方の設計では、セルは、複数のＭＢＳＦＮエリアのための複数のＭＣＣＨのためのＭＣＣＨリソース情報を送り得る。この場合、情報の一部は、他のフォーマットにアグリゲートされ得、他のフォーマットで提示され得る。たとえば、単一のＭＣＣＨ繰り返し期間が、各ＭＣＣＨのためのではなく、複数のＭＣＣＨのために送られ得る。また、複数のＭＣＣＨのためのＭＣＣＨサブフレームを伝達するために、ビットマップが使用され得る。
【００４０】
第１および第２の両方の設計では、ＭＣＣＨリソース情報は、上記のパラメータの代わりにおよび／またはそれらに加えて、他のパラメータをも備え得る。さらに、ＳＩＢ２またはＳＩＢｘは、ＭＣＣＨを受信するために使用される他の情報を含み得る。たとえば、ＳＩＢ２またはＳＩＢｘは、ＭＣＣＨをトランスポートするＭＣＨのためのパラメータを示すＭＣＨ情報を含み得る。たとえば、ＭＣＨ情報は、ＭＣＨのための変調およびコーディング方式（ＭＣＳ）、ＭＣＨを送るために使用されるリソースなどを含み得る。
【００４１】
図５Ａに、第１の設計の場合のＳＩＢ２の図を示す。ＳＩＢ２は、ＭＢＳＦＮサブフレーム情報、ＭＣＣＨ情報など、様々なタイプの情報を含み得る。ＭＢＳＦＮサブフレーム情報は、上記で説明したＭＢＳＦＮ−ＳｕｂｆｒａｍｅＣｏｎｆｉｇＬｉｓｔを含み得る。ＭＣＣＨ情報は、ＭＣＣＨリソース情報、ＭＣＨ情報などを含み得る。ＭＣＣＨリソース情報は、第１の設計について上記で説明したアイテムを含み得る。ＭＣＨ情報は、ＭＣＣＨをトランスポートするＭＣＨのためのＭＣＳなどを含み得る。
【００４２】
図５Ｂに、第２の設計の場合のＳＩＢｘの図を示す。ＳＩＢｘは、ＭＢＭＳサブフレーム情報、ＭＣＣＨリソース情報、ＭＣＨ情報など、様々なタイプの情報を含み得る。ＭＢＭＳサブフレーム情報は、第２の設計について上記で説明したＭＢＭＳサブフレーム割振りを含み得る。ＭＣＣＨリソース情報は、第２の設計について上記で説明した残りのアイテムを含み得る。ＭＣＨ情報は、ＭＣＣＨをトランスポートするＭＣＨのためのＭＣＳなどを含み得る。
【００４３】
１つの設計では、ＭＣＣＨは、ＭＣＣＨによってカバーされる１つまたは複数のＭＣＨを受信するために使用される情報を搬送し得る。１つの設計では、ＭＣＣＨは、ＭＣＨサブフレーム情報と呼ばれることがある、各ＭＣＨのためのＭＳＡＰを示す情報を搬送し得る。１つの設計では、ＭＣＨサブフレーム情報は、以下を含み得る。
【００４４】
・ＭＣＨのためのＭＳＡＰの期間を示す、ＭＣＨ割振り期間、
・ＭＣＨのためにどのサブフレームが使用されるかを示す、ＭＣＨサブフレーム割振り、および
・ＭＣＨのためのスケジューリング情報が繰り返される期間を示す、ＭＣＨスケジューリング期間。
【００４５】
１つの設計では、ＭＣＨ割振り期間／ＭＳＡＰ期間は、ＭＢＳＦＮサブフレームのためのｒａｄｉｏｆｒａｍｅＡｌｌｏｃａｔｉｏｎＰｅｒｉｏｄと同じであり得る。別の設計では、ＭＣＨ割振り期間は、ｒａｄｉｏｆｒａｍｅＡｌｌｏｃａｔｉｏｎＰｅｒｉｏｄとは異なり得る。
【００４６】
１つの設計では、ＭＣＨサブフレーム割振りは、ＭＣＨビットマップと呼ばれることがあるビットマップによって伝達され得る。１つの設計では、ＭＣＨビットマップは、ＭＣＨ割振り期間中の各ＭＢＳＦＮサブフレームのための１ビットを含み得る。ＭＣＨビットマップ中の各ビットは、（ｉ）ＭＢＳＦＮサブフレームがＭＣＨサブフレームであることを示すために「１」に、または（ｉｉ）ＭＢＳＦＮサブフレームがＭＣＨサブフレームでないことを示すために「０」に設定され得る。図３に示す例では、ＭＣＨ割振り期間は、１つの無線フレームに等しくなり得、ＭＣＨビットマップは、１つのＭＢＳＦＮ無線フレーム中の３つのＭＢＳＦＮサブフレームに３ビットを含み得る。ＭＣＨビットマップ中の３ビットは、最初および最後のＭＢＳＦＮサブフレームがＭＣＨサブフレームであり、中間のＭＢＳＦＮサブフレームがＭＣＨサブフレームでないことを示すために「１０１」に設定され得る。別の設計では、ＭＣＨビットマップは、ＭＢＳＦＮビットマップと同じサイズを有し得る。図３に示す例では、ＭＣＨビットマップは、サブフレーム２および６がＭＣＨサブフレームであり、サブフレーム１、３、７および８がＭＣＨサブフレームでないことを示すために「０１０１００」に設定され得る６ビットを含み得る。別の設計では、ＭＣＨサブフレームは、他の方法で、たとえば、各ＭＣＨサブフレームのためのインデックスを用いて示され得る。
【００４７】
ＭＣＨサブフレーム情報は、上記に記載したパラメータの代わりにおよび／またはそれらに加えて、他のパラメータをも含み得る。ＭＣＣＨはまた、ＭＣＣＨによってカバーされる１つまたは複数のＭＣＨおよび／またはＭＴＣＨを受信するために使用される他の情報を搬送し得る。たとえば、ＭＣＣＨは、ＭＣＣＨによってカバーされる各ＭＣＨのための変調およびコーディング方式を搬送し得る。
【００４８】
図６に、ＵＥがＭＢＭＳサービスを受信するためのプロセス６００の設計を示す。ＵＥは、ＢＣＣＨを最初に処理して、ＭＣＣＨのための情報を搬送するＳＩＢ（たとえば、ＳＩＢ２またはＳＩＢｘ）を取得する（ブロック６１２）。ＭＣＣＨ情報は、（ｉ）ＭＣＣＨサブフレームとＭＣＣＨ繰り返し期間とを示すＭＣＣＨリソース情報、（ｉｉ）ＭＣＣＨを搬送するＭＣＨを処理するために使用されるＭＣＨ情報（たとえば、ＭＣＳ）、および／または（ｉｉｉ）他の情報を含み得る。ＵＥは、ＢＣＣＨから取得された情報に基づいてＭＣＣＨを処理する（ブロック６１４）。ＭＣＣＨは、ＳＩＢ２中の複数のＳＡＰまたはＭＢＳＦＮ−ＳｕｂｆｒａｍｅＣｏｎｆｉｇｌｉｓｔｓにわたり得る。したがって、ＵＥは、同じＭＣＣＨ識別情報をもつ、場合によっては複数のＳＡＰ中のすべてリソースを考慮することによってＭＣＣＨを復号し得る。ＵＥは、（ｉ）ＳＩＢ２またはＳＩＢｘ中で送られるＭＢＳＦＮサブフレーム上の情報に基づき得る、各ＭＣＨのためのＭＳＡＰ上の情報、（ｉｉ）ＭＣＣＨによってカバーされる各ＭＣＨを処理するために使用されるＭＣＨ情報（たとえば、ＭＣＳ）、（ｉｉｉ）ＭＣＨへのＭＢＭＳサービスのマッピング、および／または（ｉｖ）各ＭＴＣＨの論理チャネルＩＤなどの他の情報など、ＭＣＣＨから様々なタイプの情報を取得し得る。ＵＥは、当該の各ＭＣＨのためのスケジューリング情報を受信する（ブロック６１６）。スケジューリング情報は、各ＭＢＭＳサービスがスケジュールされているか否か、スケジュールされたＭＢＭＳサービスの各々が送られるリソース（たとえば、サブフレーム）などを示し得る。ＵＥは、次いで、スケジューリング情報および他の適切な情報に基づいて当該の各ＭＣＨを処理して、所望のＭＢＭＳサービスを取得する（ブロック６１８）。
【００４９】
図６に示すように、ＵＥはＭＢＳＦＮサービスに関係し得、制御情報およびトラフィックデータを含めて、どのリソースがＭＢＳＦＮサービスのために使用されるのかを決定し得る。制御情報を搬送するＭＣＣＨのために使用されるリソースは、ＢＣＣＨを介して取得され得る。ＵＥがこの情報を取得すると、ＵＥは、ＭＣＣＨを処理し、すべてのＭＳＡＰ上の情報と当該のすべてのＭＣＨのための他の関連情報とを取得することができる。ＵＥは、次いで、収集した情報に基づいて、当該のＭＣＨおよびＭＴＣＨを処理し得る。
【００５０】
上記で説明した設計では、ＢＣＣＨは、１つまたは複数のＭＣＣＨが発見され得るリソースのみをポイントし得、ＭＢＭＳサービスの可用性は示し得ない。各ＭＣＣＨは、１つまたは複数のＭＣＨを処理し、所望のＭＢＭＳサービスを取得するために使用される追加情報を搬送し得る。この２ティア構造は、ＢＣＣＨに過度に負担をかけることなしにＵＥがＭＢＭＳサービスを受信できるようにするために、適切な情報をブロードキャストする効率的な手段を提供し得る。
【００５１】
図７に、ＭＢＭＳサービスをサポートするためのプロセス７００の設計を示す。プロセス７００は、（以下で説明するように）基地局／セルによって、または何らかの他のエンティティによって実行され得る。セルは、ＭＣＣＨを送るために使用されるリソースを決定する（ブロック７１２）。セルは、ＭＣＣＨを送るために使用されるリソースを示す情報を備えるＳＩＢを生成する（ブロック７１４）。ＳＩＢは、ＳＩＢ２またはＳＩＢｘであり得、ｘは２よりも大きい値であり得る。セルは、ＢＣＣＨ中でＳＩＢを送る（ブロック７１６）。セルは、ＳＩＢ中で送られた情報によって示されたリソース上でＭＣＣＨを送る（ブロック７１８）。
【００５２】
ブロック７１２の１つの設計では、セルは、ＭＣＣＨが送られるサブフレーム、またはＭＣＣＨの繰り返し期間、またはＭＣＣＨの繰り返し期間の開始を示すオフセット、または何らかの他の情報、またはそれらの組合せを決定し得る。セルは、ＳＩＢ中で情報を送り得る。セルはまた、ＭＣＣＨの識別情報、ＭＣＣＨをトランスポートするＭＣＨのためのＭＣＳ、ＭＢＭＳサービスを送るために利用可能なサブフレームなどの他の情報をさらに備えるＳＩＢを生成し得る。
【００５３】
ＭＣＣＨは、ＭＢＭＳサービスを受信するために使用される情報を搬送し得る。１つの設計では、ＭＣＣＨは、ＭＢＭＳサービスのためのデータを搬送する少なくとも１つのＭＣＨのための制御情報を搬送し得る。セルは、各ＭＳＡＰが対応するＭＣＨのために使用されるサブフレームを示す、少なくとも１つのＭＣＨのための少なくとも１つのＭＳＡＰを決定し得る。セルは、ＭＣＣＨ中で少なくとも１つのＭＳＡＰを送り得る。１つの設計では、セルは、少なくとも１つのＭＣＨのための少なくとも１つのＭＣＳを決定し得、ＭＣＣＨ中で少なくとも１つのＭＣＨのための少なくとも１つのＭＣＳを送り得る。１つの設計では、セルは、少なくとも１つのＭＣＨへのＭＢＭＳサービスのマッピングを決定し得、ＭＣＣＨ中でマッピングを送り得る。ＭＣＣＨはまた、ＭＢＭＳサービスを受信するために使用される他の情報を搬送し得る。
【００５４】
図８に、ＭＢＭＳサービスをサポートするための装置８００の設計を示す。装置８００は、ＭＣＣＨを送るために使用されるリソースを決定するためのモジュール８１２と、ＭＣＣＨを送るために使用されるリソースを示す情報を備えるＳＩＢを生成するためのモジュール８１４と、ＢＣＣＨ中でＳＩＢを送るためのモジュール８１６と、ＳＩＢ中で送られる情報によって示されるリソース上でＭＣＣＨを送るためのモジュール８１８とを含む。
【００５５】
図９に、ＭＢＭＳサービスを受信するためのプロセス９００の設計を示す。プロセス９００は、（以下で説明するように）ＵＥによって、または何らかの他のエンティティによって実行され得る。ＵＥは、ＢＣＣＨからＳＩＢ（たとえば、ＳＩＢ２またはＳＩＢｘ）を受信する（ブロック９１２）。ＵＥは、ＭＣＣＨを送るために使用されるリソースを示す情報をＳＩＢから取得する（ブロック９１４）。ＵＥは、ＳＩＢから取得された情報によって示されるリソース上でＭＣＣＨを受信する（ブロック９１６）。
【００５６】
１つの設計では、ＳＩＢから取得された情報は、ＭＣＣＨが送られるサブフレームを示す情報、またはＭＣＣＨの繰り返し期間、またはＭＣＣＨの繰り返し期間の開始を示すオフセット、または何らかの他の情報、またはそれらの組合せを備え得る。ＵＥはまた、ＭＣＣＨの識別情報、ＭＢＭＳサービスを送るために利用可能なサブフレーム、ＭＣＣＨをトランスポートするＭＣＨのためのＭＣＳなど、ＳＩＢからの他の情報を取得し得る。ＵＥは、ＭＢＭＳサービスを送るために利用可能なサブフレームを示す情報に基づいてＭＣＣＨを送るサブフレームを決定し得る。ＵＥは、ＭＣＣＨを復元するためにＭＣＳに基づいてＭＣＨを復号し得る。
【００５７】
ＭＣＣＨは、ＭＢＭＳサービスのためのデータを搬送する少なくとも１つのＭＣＨのための制御情報を搬送し得る。ＵＥは、ＭＣＣＨからＭＢＭＳサービスを受信するために使用される情報を取得し得る。１つの設計では、ＵＥは、各ＭＳＡＰが対応するＭＣＨのために使用されるサブフレームを示す、少なくとも１つのＭＣＨのための少なくとも１つのＭＳＡＰをＭＣＣＨから取得し得る。ＵＥは、少なくとも１つのＭＣＨを復元するために、少なくとも１つのＭＳＡＰによって示されるサブフレームを処理し得る。１つの設計では、ＵＥは、少なくとも１つのＭＣＨのための少なくとも１つのＭＣＳをＭＣＣＨから取得し得、少なくとも１つのＭＣＳに基づいて少なくとも１つのＭＣＨを復号し得る。１つの設計では、ＵＥは、少なくとも１つのＭＣＨへのＭＢＭＳサービスのマッピングをＭＣＣＨから取得し得、マッピングに基づいて当該の少なくとも１つのＭＢＭＳサービスを受信し得る。ＵＥはまた、他の情報をＭＣＣＨから取得し得る。
【００５８】
図１０に、ＭＢＭＳサービスのためのスケジューリング情報を受信するための装置１０００の設計を示す。装置１０００は、ＢＣＣＨからＳＩＢを受信するモジュール１０１２と、ＭＣＣＨを送るために使用されるリソースを示す情報をＳＩＢから取得するモジュール１０１４と、ＳＩＢから取得された情報によって示されるリソース上でＭＣＣＨを受信するモジュール１０１６とを含む。
【００５９】
図８および図１０のモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００６０】
図１１に、図１の基地局／ｅＮＢの１つであり得る基地局／ｅＮＢ１１０および図１のＵＥの１つであり得るＵＥ１２０の設計のブロック図を示す。この設計では、基地局１１０はＴ個のアンテナ１１３４ａ〜１１３４ｔを装備し得、ＵＥ１２０はＲ個のアンテナ１１５２ａ〜１１５２ｒを装備し得、ただし、一般にＴ≧１およびＲ≧１である。
【００６１】
基地局１１０において、送信プロセッサ１１２０は、データソース１１１２からユニキャストサービスのためのデータとＭＢＭＳサービスのためのデータとを受信し得る。送信プロセッサ１１２０は、データシンボルを取得するために各サービスのためのデータを処理し得る。送信プロセッサ１１２０は、コントローラ／プロセッサ１１４０および／またはスケジューラ１１４４からオーバーヘッド情報をも受信し得、オーバーヘッドシンボルを取得するためにオーバーヘッド情報を処理し得る。オーバーヘッド情報は、システム情報、ＭＣＣＨリソース情報、ＭＣＨ情報、ＭＢＭＳサブフレーム情報などを備え得る。送信（ＴＸ）多入力多出力（ＭＩＭＯ）プロセッサ１１３０は、データシンボル、オーバーヘッドシンボル、および基準シンボルを多重化し得る。プロセッサ１１３０は、さらに（適用可能な場合は）多重化されたシンボルを処理（たとえば、プリコード）し得、Ｔ個の出力シンボルストリームをＴ個の変調器（ＭＯＤ）１１３２ａ〜１１３２ｔに供給し得る。各変調器１１３２は、（たとえば、ＯＦＤＭなどの）それぞれの出力シンボルストリームを処理して出力サンプルストリームを取得し得る。各変調器１１３２はさらに、出力サンプルストリームを処理（たとえば、アナログへの変換、増幅、フィルタ処理、およびアップコンバート）して、ダウンリンク信号を取得し得る。変調器１１３２ａ〜１１３２ｔからのＴ個のダウンリンク信号は、それぞれＴ個のアンテナ１１３４ａ〜１１３４ｔを介して送信され得る。
【００６２】
ＵＥ１２０において、アンテナ１１５２ａ〜１１５２ｒは、基地局１１０および他の基地局からダウンリンク信号を受信し得、受信信号をそれぞれ復調器（ＤＥＭＯＤ）１１５４ａ〜１１５４ｒに供給し得る。各復調器１１５４は、それぞれの受信信号を調整（たとえば、フィルタ処理、増幅、ダウンコンバート、およびデジタル化）して受信サンプルを取得し、さらに（たとえば、ＯＦＤＭ用などに）受信サンプルを処理して受信シンボルを取得し得る。ＭＩＭＯ検出器１１６０は、すべてのＲ個の復調器１１５４ａ〜１１５４ｒから受信シンボルを取得し、（適用可能な場合は）受信シンボルに対してＭＩＭＯ検出を実行し、検出されたシンボルを供給し得る。受信プロセッサ１１７０は、検出されたシンボルを処理し、ＵＥ１２０の復号されたデータおよび／または所望のＭＢＭＳサービスをデータシンク１１７２に供給し、復号されたオーバーヘッド情報をコントローラ／プロセッサ１１９０に供給し得る。
【００６３】
アップリンク上では、ＵＥ１２０において、データソース１１７８からのデータとコントローラ／プロセッサ１１９０からの制御情報とは、送信プロセッサ１１８０によって処理され、さらに（適用可能な場合は）ＴＸ  ＭＩＭＯプロセッサ１１８２によって処理され、変調器１１５４ａ〜１１５４ｒによって調整され、アンテナ１１５２ａ〜１１５２ｒを介して送信され得る。基地局１１０において、ＵＥ１２０からのアップリンク信号は、アンテナ１１３４によって受信され、復調器１１３２によって調整され、ＭＩＭＯ検出器１１３６によって検出され、受信プロセッサ１１３８によって処理されて、ＵＥ１２０によって送信されたデータおよび制御情報が取得され得る。
【００６４】
コントローラ／プロセッサ１１４０および１１９０は、それぞれ基地局１１０およびＵＥ１２０における動作を指示し得る。基地局１１０におけるプロセッサ１１４０および／または他のプロセッサおよびモジュールは、図７のプロセス７００、および／または本明細書で説明する技法のための他のプロセスを実装または指示し得る。ＵＥ１２０におけるプロセッサ１１９０および／または他のプロセッサおよびモジュールは、図９のプロセス９００、および／または本明細書で説明する技法のための他のプロセスを実装または指示し得る。メモリ１１４２および１１９２は、それぞれ基地局１１０およびＵＥ１２０のためのデータおよびプログラムコードを記憶し得る。スケジューラ１１４４は、データ送信のためにＵＥをスケジュールし、ＭＢＭＳサービスをスケジュールし、リソースをＵＥおよびＭＢＭＳサービスに割り当て得る。コントローラ／プロセッサ１１４０および／またはスケジューラ１１４４は、ＭＢＭＳサービスに、たとえば、ＭＣＣＨリソース情報、ＭＣＨ情報、ＭＢＭＳサブフレーム情報などの情報を供給し得る。
【００６５】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６６】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００６７】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６８】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【００６９】
１つまたは複数の例示的な設計では、説明した機能は、ハードウェア、ソフトウェア、ファームウェア、またはそれらの組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー(登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００７０】
本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
【図１】
2014123965.tif 000006
【図２】
2014123965.tif 000007
【図３】
2014123965.tif 000008
【図４】
2014123965.tif 000009
【図５Ａ】
2014123965.tif 000010
【図５Ｂ】
2014123965.tif 000011
【図６】
2014123965.tif 000012
【図７】
2014123965.tif 000013
【図８】
2014123965.tif 000014
【図９】
2014123965.tif 000015
【図１０】
2014123965.tif 000016
【図１１】
2014123965.tif 000017
【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
マルチキャスト制御チャネル（ＭＣＣＨ）を送るために使用されるリソースを決定することと、
前記ＭＣＣＨを送るために使用される前記リソースを示す情報を備えるシステム情報ブロック（ＳＩＢ）を生成することと、
ブロードキャスト制御チャネル（ＢＣＣＨ）中で前記ＳＩＢを送ることと、
各マルチキャストチャネル（ＭＣＨ）サブフレーム割振りパターン（ＭＳＡＰ）が対応するＭＣＨのために使用されるサブフレームを示す、ＭＢＭＳサービスのためのデータを搬送する少なくとも１つのＭＣＨのための少なくとも１つのＭＳＡＰを決定することと、前記各ＭＳＡＰによって示されたサブフレームは、前記ＭＢＭＳサービスを送るために利用可能なサブフレームのサブセットを備える、
前記ＭＣＣＨ中で前記少なくとも１つのＭＳＡＰを送ることと
を備え、
前記ＳＩＢはシステム情報ブロックタイプｘ（ＳＩＢｘ）であり、前記ｘは２より大きい値である、
マルチメディアブロードキャスト／マルチキャストサービス（ＭＢＭＳ）をサポートする方法。
【請求項２】
前記ＭＣＣＨを送るために使用される前記リソースを前記決定することが、前記ＭＣＣＨが送られるサブフレーム、または前記ＭＣＣＨの繰り返し期間、または前記ＭＣＣＨの前記繰り返し期間の開始を示すオフセット、またはそれらの組合せを決定することを備える、請求項１に記載の方法。
【請求項３】
前記ＳＩＢは、前記ＭＣＣＨの識別情報をさらに備える、請求項１に記載の方法。
【請求項４】
前記ＭＣＣＨをトランスポートする前記少なくとも１つのＭＣＨのための変調およびコーディング方式（ＭＣＳ）を決定することをさらに備え、
前記ＳＩＢは、前記少なくとも１つのＭＣＨのための前記ＭＣＳをさらに備える、請求項１に記載の方法。
【請求項５】
前記ＭＢＭＳサービスを送るために利用可能な前記サブフレームを決定することと、
前記ＭＢＭＳサービスを送るために利用可能な前記サブフレームを示す情報を備えるシステム情報を生成することと、
前記ＢＣＣＨ中で前記システム情報を送ることと
をさらに備える、請求項１に記載の方法。
【請求項６】
ＭＢＭＳサービスのためのデータを搬送する前記少なくとも１つのＭＣＨのための少なくとも１つの変調およびコーディング方式（ＭＣＳ）を決定することと、
前記ＭＣＣＨ中で前記少なくとも１つのＭＣＨのための前記少なくとも１つのＭＣＳを送ることと
をさらに備える、請求項１に記載の方法。
【請求項７】
ＭＢＭＳサービスのためのデータを搬送する前記少なくとも１つのＭＣＨへの前記ＭＢＭＳサービスのマッピングを決定することと、
前記ＭＣＣＨ中で前記マッピングを送ることと
をさらに備える、請求項１に記載の方法。
【請求項８】
前記ＳＩＢは、システム情報ブロックタイプ１３（ＳＩＢ１３）である、請求項１に記載の方法。
【請求項９】
マルチキャスト制御チャネル（ＭＣＣＨ）を送るために使用されるリソースを決定するための手段と、
前記ＭＣＣＨを送るために使用される前記リソースを示す情報を備えるシステム情報ブロック（ＳＩＢ）を生成するための手段と、
ブロードキャスト制御チャネル（ＢＣＣＨ）中で前記ＳＩＢを送るための手段と、
各マルチキャストチャネル（ＭＣＨ）サブフレーム割振りパターン（ＭＳＡＰ）が対応するＭＣＨのために使用されるサブフレームを示す、ＭＢＭＳサービスのためのデータを搬送する少なくとも１つのＭＣＨのための少なくとも１つのＭＳＡＰを決定するための手段と、前記各ＭＳＡＰによって示されたサブフレームは、前記ＭＢＭＳサービスを送るために利用可能なサブフレームのサブセットを備える、
前記ＭＣＣＨ中で前記少なくとも１つのＭＳＡＰを送るための手段と
を備え、
前記ＳＩＢはシステム情報ブロックタイプｘ（ＳＩＢｘ）であり、前記ｘは２より大きい値である、
マルチメディアブロードキャスト／マルチキャストサービス（ＭＢＭＳ）をサポートするための装置。
【請求項１０】
前記ＭＣＣＨを送るために使用される前記リソースを前記決定することが、前記ＭＣＣＨが送られるサブフレーム、または前記ＭＣＣＨの繰り返し期間、または前記ＭＣＣＨの前記繰り返し期間の開始を示すオフセット、またはそれらの組合せを決定することを備える、請求項９に記載の装置。
【請求項１１】
前記ＭＣＣＨをトランスポートする前記少なくとも１つのＭＣＨのための変調およびコーディング方式（ＭＣＳ）を決定するための手段をさらに備え、
前記ＳＩＢは、前記少なくとも１つのＭＣＨのための前記ＭＣＳをさらに備える、請求項９に記載の装置。
【請求項１２】
ＭＢＭＳサービスのためのデータを搬送する前記少なくとも１つのＭＣＨのための少なくとも１つの変調およびコーディング方式（ＭＣＳ）を決定するための手段と、
前記ＭＣＣＨ中で前記少なくとも１つのＭＣＨのための前記少なくとも１つのＭＣＳを送るための手段と
をさらに備える、請求項９に記載の装置。
【請求項１３】
マルチキャスト制御チャネル（ＭＣＣＨ）を送るために使用されるリソースを決定することと、
前記ＭＣＣＨを送るために使用される前記リソースを示す情報を備えるシステム情報ブロック（ＳＩＢ）を生成することと、
ブロードキャスト制御チャネル（ＢＣＣＨ）中で前記ＳＩＢを送ることと、
各マルチキャストチャネル（ＭＣＨ）サブフレーム割振りパターン（ＭＳＡＰ）が対応するＭＣＨのために使用されるサブフレームを示す、ＭＢＭＳサービスのためのデータを搬送する少なくとも１つのＭＣＨのための少なくとも１つのＭＳＡＰを決定することと、前記各ＭＳＡＰによって示されたサブフレームは、前記ＭＢＭＳサービスを送るために利用可能なサブフレームのサブセットを備える、
前記ＭＣＣＨ中で前記少なくとも１つのＭＳＡＰを送ることと
を行うように構成された少なくとも１つのプロセッサ
を備え、
前記ＳＩＢはシステム情報ブロックタイプｘ（ＳＩＢｘ）であり、前記ｘは２より大きい値である、マルチメディアブロードキャスト／マルチキャストサービス（ＭＢＭＳ）をサポートするための装置。
【請求項１４】
前記少なくとも１つのプロセッサが、
前記ＭＣＣＨが送られるサブフレーム、または前記ＭＣＣＨの繰り返し期間、または前記ＭＣＣＨの前記繰り返し期間の開始を示すオフセット、またはそれらの組合せを決定すること
を行うように構成された、請求項１３に記載の装置。
【請求項１５】
前記少なくとも１つのプロセッサが、
前記ＭＣＣＨをトランスポートする前記少なくとも１つのＭＣＨのための変調およびコーディング方式（ＭＣＳ）を決定すること
を行うように構成され、
前記ＳＩＢは、前記少なくとも１つのＭＣＨのための前記ＭＣＳをさらに備える、請求項１３に記載の装置。
【請求項１６】
前記少なくとも１つのプロセッサが、
ＭＢＭＳサービスのためのデータを搬送する前記少なくとも１つのＭＣＨのための少なくとも１つの変調およびコーディング方式（ＭＣＳ）を決定することと、
前記ＭＣＣＨ中で前記少なくとも１つのＭＣＨのための前記少なくとも１つのＭＣＳを送ることと
を行うように構成された、請求項１３に記載の装置。
【請求項１７】
少なくとも１つのコンピュータに、マルチキャスト制御チャネル（ＭＣＣＨ）を送るために使用されるリソースを決定させるためのコードと、
前記少なくとも１つのコンピュータに、前記ＭＣＣＨを送るために使用される前記リソースを示す情報を備えるシステム情報ブロック（ＳＩＢ）を生成させるためのコードと、
前記少なくとも１つのコンピュータに、ブロードキャスト制御チャネル（ＢＣＣＨ）中で前記ＳＩＢを送らせるためのコードと、
前記少なくとも１つのコンピュータに、各マルチキャストチャネル（ＭＣＨ）サブフレーム割振りパターン（ＭＳＡＰ）が対応するＭＣＨのために使用されるサブフレームを示す、ＭＢＭＳサービスのためのデータを搬送する少なくとも１つのＭＣＨのための少なくとも１つのＭＳＡＰを決定させるためのコードと、前記各ＭＳＡＰによって示されたサブフレームは、前記ＭＢＭＳサービスを送るために利用可能なサブフレームのサブセットを備える、
前記少なくとも１つのコンピュータに、前記ＭＣＣＨ中で前記少なくとも１つのＭＳＡＰを送らせるためのコードと
を備え、
前記ＳＩＢはシステム情報ブロックタイプｘ（ＳＩＢｘ）であり、前記ｘは２より大きい値である、非一時的コンピュータ可読媒体。
【請求項１８】
ブロードキャスト制御チャネル（ＢＣＣＨ）からシステム情報ブロック（ＳＩＢ）を受信することと、
マルチキャスト制御チャネル（ＭＣＣＨ）を送るために使用されるリソースを示す情報を前記ＳＩＢから取得することと、
前記ＳＩＢから取得された前記情報によって示される前記リソース上で前記ＭＣＣＨを受信することと、
各マルチキャストチャネル（ＭＣＨ）サブフレーム割振りパターン（ＭＳＡＰ）が対応するＭＣＨのために使用されるサブフレームを示す、少なくとも１つのＭＣＨのための少なくとも１つのＭＳＡＰを前記ＭＣＣＨから取得することと、前記各ＭＳＡＰによって示されたサブフレームは、ＭＢＭＳサービスを送るために利用可能なサブフレームのサブセットを備える、
前記ＭＢＭＳサービスのためのデータを搬送する前記少なくとも１つのＭＣＨを復元するために、前記少なくとも１つのＭＳＡＰによって示されるサブフレームを処理することと
を備え、
前記ＳＩＢはシステム情報ブロックタイプｘ（ＳＩＢｘ）であり、前記ｘは２より大きい値である、マルチメディアブロードキャスト／マルチキャストサービス（ＭＢＭＳ）を受信する方法。
【請求項１９】
前記ＳＩＢから取得された前記情報が、前記ＭＣＣＨが送られるサブフレーム、または前記ＭＣＣＨの繰り返し期間、または前記ＭＣＣＨの前記繰り返し期間の開始を示すオフセット、またはそれらの組合せを示す、請求項１８に記載の方法。
【請求項２０】
前記ＳＩＢから前記ＭＣＣＨの識別情報を取得すること
をさらに備える、請求項１８に記載の方法。
【請求項２１】
前記ＭＣＣＨをトランスポートする前記少なくとも１つのＭＣＨのための変調およびコーディング方式（ＭＣＳ）を前記ＳＩＢから取得することと、
前記ＭＣＣＨを復元するために前記ＭＣＳに基づいて前記少なくとも１つのＭＣＨを復号することとをさらに備える、請求項１８に記載の方法。
【請求項２２】
前記ＢＣＣＨからシステム情報を受信することと、
前記ＭＢＭＳサービスを送るために利用可能な前記サブフレームを示す情報を前記システム情報から取得することと、
前記ＭＢＭＳサービスを送るために利用可能な前記サブフレームを示す前記情報に基づいて前記ＭＣＣＨを送る前記サブフレームを決定することと
をさらに備える、請求項１９に記載の方法。
【請求項２３】
前記少なくとも１つのＭＣＨのための少なくとも１つの変調およびコーディング方式（ＭＣＳ）を前記ＭＣＣＨから取得することと、
少なくとも１つのＭＢＭＳサービスのためのデータを取得するために、前記少なくとも１つのＭＣＳに基づいて前記少なくとも１つのＭＣＨを復号することと
をさらに備える、請求項１８に記載の方法。
【請求項２４】
前記少なくとも１つのＭＣＨへの前記ＭＢＭＳサービスのマッピングを前記ＭＣＣＨから取得することと、
前記マッピングに基づいて少なくとも１つのＭＢＭＳサービスを受信することとをさらに備える、請求項１８に記載の方法。
【請求項２５】
前記ＳＩＢは、システム情報ブロックタイプ１３（ＳＩＢ１３）である、請求項１８に記載の方法。
【請求項２６】
ブロードキャスト制御チャネル（ＢＣＣＨ）からシステム情報ブロック（ＳＩＢ）を受信するための手段と、
マルチキャスト制御チャネル（ＭＣＣＨ）を送るために使用されるリソースを示す情報を前記ＳＩＢから取得するための手段と、
前記ＳＩＢから取得された前記情報によって示される前記リソース上で前記ＭＣＣＨを受信するための手段と、
各マルチキャストチャネル（ＭＣＨ）サブフレーム割振りパターン（ＭＳＡＰ）が対応するＭＣＨのために使用されるサブフレームを示す、少なくとも１つのＭＣＨのための少なくとも１つのＭＳＡＰを前記ＭＣＣＨから取得するための手段と、前記各ＭＳＡＰによって示されたサブフレームは、ＭＢＭＳサービスを送るために利用可能なサブフレームのサブセットを備える、
前記ＭＢＭＳサービスのためのデータを搬送する前記少なくとも１つのＭＣＨを復元するために、前記少なくとも１つのＭＳＡＰによって示されるサブフレームを処理するための手段と
を備え、
前記ＳＩＢはシステム情報ブロックタイプｘ（ＳＩＢｘ）であり、前記ｘは２より大きい値である、マルチメディアブロードキャスト／マルチキャストサービス（ＭＢＭＳ）を受信するための装置。
【請求項２７】
前記ＳＩＢから取得された前記情報が、前記ＭＣＣＨが送られるサブフレーム、または前記ＭＣＣＨの繰り返し期間、または前記ＭＣＣＨの前記繰り返し期間の開始を示すオフセット、またはそれらの組合せを示す、請求項２６に記載の装置。
【請求項２８】
前記ＭＣＣＨをトランスポートする前記少なくとも１つのＭＣＨのための変調およびコーディング方式（ＭＣＳ）を前記ＳＩＢから取得するための手段と、
前記ＭＣＣＨを復元するために前記ＭＣＳに基づいて前記少なくとも1つのＭＣＨを復号するための手段と
をさらに備える、請求項２６に記載の装置。
【請求項２９】
前記少なくとも１つのＭＣＨのための少なくとも１つの変調およびコーディング方式（ＭＣＳ）を前記ＭＣＣＨから取得するための手段と、
前記少なくとも１つのＭＣＳに基づいて前記少なくとも１つのＭＣＨを復号するための手段と
をさらに備える、請求項２６に記載の装置。
【請求項３０】
ブロードキャスト制御チャネル（ＢＣＣＨ）からシステム情報ブロック（ＳＩＢ）を受信することと、
マルチキャスト制御チャネル（ＭＣＣＨ）を送るために使用されるリソースを示す情報を前記ＳＩＢから取得することと、
前記ＳＩＢから取得された前記情報によって示される前記リソース上で前記ＭＣＣＨを受信することと、
各マルチキャストチャネル（ＭＣＨ）サブフレーム割振りパターン（ＭＳＡＰ）が対応するＭＣＨのために使用されるサブフレームを示す、少なくとも１つのＭＣＨのための少なくとも１つのＭＳＡＰを前記ＭＣＣＨから取得することと、前記各ＭＳＡＰによって示されたサブフレームは、ＭＢＭＳサービスを送るために利用可能なサブフレームのサブセットを備える、
前記ＭＢＭＳサービスのためのデータを搬送する前記少なくとも１つのＭＣＨを復元するために、前記少なくとも１つのＭＳＡＰによって示されるサブフレームを処理することと
を行うように構成された少なくとも１つのプロセッサ
を備え、
前記ＳＩＢはシステム情報ブロックタイプｘ（ＳＩＢｘ）であり、前記ｘは２より大きい値である、マルチメディアブロードキャスト／マルチキャストサービス（ＭＢＭＳ）を受信するための装置。
【請求項３１】
少なくとも１つのコンピュータに、ブロードキャスト制御チャネル（ＢＣＣＨ）からシステム情報ブロック（ＳＩＢ）を受信させるためのコードと、
前記少なくとも１つのコンピュータに、マルチキャスト制御チャネル（ＭＣＣＨ）を送るために使用されるリソースを示す情報を前記ＳＩＢから取得させるためのコードと、
前記少なくとも１つのコンピュータに、前記ＳＩＢから取得された前記情報によって示される前記リソース上で前記ＭＣＣＨを受信させるためのコードと、
前記少なくとも１つのコンピュータに、各マルチキャストチャネル（ＭＣＨ）サブフレーム割振りパターン（ＭＳＡＰ）が対応するＭＣＨのために使用されるサブフレームを示す、少なくとも１つのＭＣＨのための少なくとも１つのＭＳＡＰを前記ＭＣＣＨから取得させるためのコードと、前記各ＭＳＡＰによって示されたサブフレームは、ＭＢＭＳサービスを送るために利用可能なサブフレームのサブセットを備える、
前記少なくとも１つのコンピュータに、前記ＭＢＭＳサービスのためのデータを搬送する前記少なくとも１つのＭＣＨを復元するために、前記少なくとも１つのＭＳＡＰによって示されるサブフレームを処理させるためのコードと
を備え、
前記ＳＩＢはシステム情報ブロックタイプｘ（ＳＩＢｘ）であり、前記ｘは２より大きい値である、非一時的コンピュータ可読媒体。
【手続補正２】
【補正対象書類名】明細書
【補正対象項目名】０００９
【補正方法】変更
【補正の内容】
【０００９】
【図１】ワイヤレス通信ネットワークを示す図。
【図２】例示的なフレーム構造を示す図。
【図３】ＭＢＭＳサービスのためのサブフレームを示す図。
【図４】ＭＢＭＳのための様々なチャネルの例示的な送信を示す図。
【図５Ａ】ＭＣＣＨのための情報を搬送するＳＩＢの図。
【図５Ｂ】ＭＣＣＨのための情報を搬送するＳＩＢの図。
【図６】ＵＥによりＭＢＭＳサービスを受信するプロセスを示す図。
【図７】ＭＢＭＳサービスをサポートするためのプロセスを示す図。
【図８】ＭＢＭＳサービスをサポートするための装置を示す図。
【図９】ＭＢＭＳサービスを受信するためのプロセスを示す図。
【図１０】ＭＢＭＳサービスを受信するための装置を示す図。
【図１１】基地局およびＵＥのブロック図。
【手続補正３】
【補正対象書類名】明細書
【補正対象項目名】００７０
【補正方法】変更
【補正の内容】
【００７０】
本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に本願出願当初の特許請求の範囲を付記する。
[Ｃ１]  マルチキャスト制御チャネル（ＭＣＣＨ）を送るために使用されるリソースを決定することと、
前記ＭＣＣＨを送るために使用される前記リソースを示す情報を備えるシステム情報ブロック（ＳＩＢ）を生成することと、
ブロードキャスト制御チャネル（ＢＣＣＨ）中で前記ＳＩＢを送ることとを備える、マルチメディアブロードキャスト／マルチキャストサービス（ＭＢＭＳ）をサポートする方法。
[Ｃ２]  前記ＭＣＣＨを送るために使用される前記リソースを前記決定することが、前記ＭＣＣＨが送られるサブフレーム、または前記ＭＣＣＨの繰り返し期間、または前記ＭＣＣＨの前記繰り返し期間の開始を示すオフセット、またはそれらの組合せを決定することを備える、Ｃ１に記載の方法。
[Ｃ３]  前記ＭＣＣＨの識別情報をさらに備える前記ＳＩＢを生成することをさらに備える、Ｃ１に記載の方法。
[Ｃ４]  前記ＭＣＣＨをトランスポートするマルチキャストチャネル（ＭＣＨ）のための変調およびコーディング方式（ＭＣＳ）を決定することと、
前記ＭＣＨのための前記ＭＣＳをさらに備える前記ＳＩＢを生成することとをさらに備える、Ｃ１に記載の方法。
[Ｃ５]  ＭＢＭＳサービスを送るために利用可能なサブフレームを決定することと、
ＭＢＭＳサービスを送るために利用可能な前記サブフレームを示す情報をさらに備える前記ＳＩＢを生成することとをさらに備える、Ｃ１に記載の方法。
[Ｃ６]  各マルチキャストチャネル（ＭＣＨ）サブフレーム割振りパターン（ＭＳＡＰ）が対応するＭＣＨのために使用されるサブフレームを示す、ＭＢＭＳサービスのためのデータを搬送する少なくとも１つのＭＣＨのための少なくとも１つのＭＳＡＰを決定することと、
前記ＭＣＣＨ中で前記少なくとも１つのＭＳＡＰを送ることとをさらに備える、Ｃ１に記載の方法。
[Ｃ７]  ＭＢＭＳサービスのためのデータを搬送する少なくとも１つのマルチキャストチャネル（ＭＣＨ）のための少なくとも１つの変調およびコーディング方式（ＭＣＳ）を決定することと、
前記ＭＣＣＨ中で前記少なくとも１つのＭＣＨのための前記少なくとも１つのＭＣＳを送ることとをさらに備える、Ｃ１に記載の方法。
[Ｃ８]  ＭＢＭＳサービスのためのデータを搬送する少なくとも１つのマルチキャストチャネル（ＭＣＨ）へのＭＢＭＳサービスのマッピングを決定することと、
前記ＭＣＣＨ中で前記マッピングを送ることとをさらに備える、Ｃ１に記載の方法。
[Ｃ９]  前記ＳＩＢを前記生成することが、前記ＭＣＣＨを送るために使用される前記リソースを示す前記情報を備えるシステム情報ブロックタイプ２（ＳＩＢ２）またはシステム情報ブロックタイプｘ（ＳＩＢｘ）を生成することを備え、ｘが、２よりも大きい値である、Ｃ１に記載の方法。
[Ｃ１０]  マルチキャスト制御チャネル（ＭＣＣＨ）を送るために使用されるリソースを決定するための手段と、
前記ＭＣＣＨを送るために使用される前記リソースを示す情報を備えるシステム情報ブロック（ＳＩＢ）を生成するための手段と、
ブロードキャスト制御チャネル（ＢＣＣＨ）中で前記ＳＩＢを送るための手段とを備える、マルチメディアブロードキャスト／マルチキャストサービス（ＭＢＭＳ）をサポートするための装置。
[Ｃ１１]  前記ＭＣＣＨを送るために使用される前記リソースを前記決定することが、前記ＭＣＣＨが送られるサブフレーム、または前記ＭＣＣＨの繰り返し期間、または前記ＭＣＣＨの前記繰り返し期間の開始を示すオフセット、またはそれらの組合せを決定することを備える、Ｃ１０に記載の装置。
[Ｃ１２]  前記ＭＣＣＨをトランスポートするマルチキャストチャネル（ＭＣＨ）のための変調およびコーディング方式（ＭＣＳ）を決定するための手段と、
前記ＭＣＨのための前記ＭＣＳをさらに備える前記ＳＩＢを生成するための手段とをさらに備える、Ｃ１０に記載の装置。
[Ｃ１３]  各マルチキャストチャネル（ＭＣＨ）サブフレーム割振りパターン（ＭＳＡＰ）が対応するＭＣＨのために使用されるサブフレームを示す、ＭＢＭＳサービスのためのデータを搬送する少なくとも１つのＭＣＨのための少なくとも１つのＭＳＡＰを決定するための手段と、
前記ＭＣＣＨ中で前記少なくとも１つのＭＳＡＰを送るための手段とをさらに備える、Ｃ１０に記載の装置。
[Ｃ１４]  ＭＢＭＳサービスのためのデータを搬送する少なくとも１つのマルチキャストチャネル（ＭＣＨ）のための少なくとも１つの変調およびコーディング方式（ＭＣＳ）を決定するための手段と、
前記ＭＣＣＨ中で前記少なくとも１つのＭＣＨのための前記少なくとも１つのＭＣＳを送るための手段とをさらに備える、Ｃ１０に記載の装置。
[Ｃ１５]    マルチキャスト制御チャネル（ＭＣＣＨ）を送るために使用されるリソースを決定することと、
前記ＭＣＣＨを送るために使用される前記リソースを示す情報を備えるシステム情報ブロック（ＳＩＢ）を生成することと、
ブロードキャスト制御チャネル（ＢＣＣＨ）中で前記ＳＩＢを送ることと
を行うように構成された少なくとも１つのプロセッサを備える、マルチメディアブロードキャスト／マルチキャストサービス（ＭＢＭＳ）をサポートするための装置。
[Ｃ１６]  前記少なくとも１つのプロセッサが、
前記ＭＣＣＨが送られるサブフレーム、または前記ＭＣＣＨの繰り返し期間、または前記ＭＣＣＨの前記繰り返し期間の開始を示すオフセット、またはそれらの組合せを決定することを行うように構成された、Ｃ１５に記載の装置。
[Ｃ１７]  前記少なくとも１つのプロセッサが、
前記ＭＣＣＨをトランスポートするマルチキャストチャネル（ＭＣＨ）のための変調およびコーディング方式（ＭＣＳ）を決定することと、
前記ＭＣＨのための前記ＭＣＳをさらに備える前記ＳＩＢを生成することとを行うように構成された、Ｃ１５に記載の装置。
[Ｃ１８]  前記少なくとも１つのプロセッサが、
各マルチキャストチャネル（ＭＣＨ）サブフレーム割振りパターン（ＭＳＡＰ）が対応するＭＣＨのために使用されるサブフレームを示す、ＭＢＭＳサービスのためのデータを搬送する少なくとも１つのＭＣＨのための少なくとも１つのＭＳＡＰを決定することと、
前記ＭＣＣＨ中で前記少なくとも１つのＭＳＡＰを送ることとを行うように構成された、Ｃ１５に記載の装置。
[Ｃ１９]  前記少なくとも１つのプロセッサが、
ＭＢＭＳサービスのためのデータを搬送する少なくとも１つのマルチキャストチャネル（ＭＣＨ）のための少なくとも１つの変調およびコーディング方式（ＭＣＳ）を決定することと、
前記ＭＣＣＨ中で前記少なくとも１つのＭＣＨのための前記少なくとも１つのＭＣＳを送ることとを行うように構成された、Ｃ１５に記載の装置。
[Ｃ２０]    少なくとも１つのコンピュータに、マルチキャスト制御チャネル（ＭＣＣＨ）を送るために使用されるリソースを決定させるためのコードと、
前記少なくとも１つのコンピュータに、前記ＭＣＣＨを送るために使用される前記リソースを示す情報を備えるシステム情報ブロック（ＳＩＢ）を生成させるためのコードと、
前記少なくとも１つのコンピュータに、ブロードキャスト制御チャネル（ＢＣＣＨ）中で前記ＳＩＢを送らせるためのコードと
を備える非一時的コンピュータ可読媒体を備える、コンピュータプログラム製品。
[Ｃ２１]  ブロードキャスト制御チャネル（ＢＣＣＨ）からシステム情報ブロック（ＳＩＢ）を受信することと、
マルチキャスト制御チャネル（ＭＣＣＨ）を送るために使用されるリソースを示す情報を前記ＳＩＢから取得することと、
前記ＳＩＢから取得された前記情報によって示される前記リソース上で前記ＭＣＣＨを受信することとを備える、マルチメディアブロードキャスト／マルチキャストサービス（ＭＢＭＳ）を受信する方法。
[Ｃ２２]  前記ＳＩＢから取得された前記情報が、前記ＭＣＣＨが送られるサブフレーム、または前記ＭＣＣＨの繰り返し期間、または前記ＭＣＣＨの前記繰り返し期間の開始を示すオフセット、またはそれらの組合せを示す、Ｃ２１に記載の方法。
[Ｃ２３]  前記ＳＩＢから前記ＭＣＣＨの識別情報を取得することをさらに備える、Ｃ２１に記載の方法。
[Ｃ２４]  前記ＭＣＣＨをトランスポートするマルチキャストチャネル（ＭＣＨ）のための変調およびコーディング方式（ＭＣＳ）を前記ＳＩＢから取得することと、
前記ＭＣＣＨを復元するために前記ＭＣＳに基づいて前記ＭＣＨを復号することとをさらに備える、Ｃ２１に記載の方法。
[Ｃ２５]  ＭＢＭＳサービスを送るために利用可能なサブフレームを示す情報を前記ＳＩＢから取得することと、
ＭＢＭＳサービスを送るために利用可能な前記サブフレームを示す前記情報に基づいて前記ＭＢＭＳを送る前記サブフレームを決定することとをさらに備える、Ｃ２２に記載の方法。
[Ｃ２６]  各マルチキャストチャネル（ＭＣＨ）サブフレーム割振りパターン（ＭＳＡＰ）が対応するＭＣＨのために使用されるサブフレームを示す、少なくとも１つのＭＣＨのための少なくとも１つのＭＳＡＰを前記ＭＣＣＨから取得することと、
ＭＢＭＳサービスのためのデータを搬送する前記少なくとも１つのＭＣＨを復元するために、前記少なくとも１つのＭＳＡＰによって示されるサブフレームを処理することとをさらに備える、Ｃ２１に記載の方法。
[Ｃ２７]  少なくとも１つのマルチキャストチャネル（ＭＣＨ）のための少なくとも１つの変調およびコーディング方式（ＭＣＳ）を前記ＭＣＣＨから取得することと、
少なくとも１つのＭＢＭＳサービスのためのデータを取得するために、前記少なくとも１つのＭＣＳに基づいて前記少なくとも１つのＭＣＨを復号することとをさらに備える、Ｃ２１に記載の方法。
[Ｃ２８]  少なくとも１つのマルチキャストチャネル（ＭＣＨ）へのＭＢＭＳサービスのマッピングを前記ＭＣＣＨから取得することと、
前記マッピングに基づいて少なくとも１つのＭＢＭＳサービスを受信することとをさらに備える、Ｃ２１に記載の方法。
[Ｃ２９]  前記ＳＩＢを前記受信することが、前記ＭＣＣＨを送るために使用される前記リソースを示す前記情報を備えるシステム情報ブロックタイプ２（ＳＩＢ２）またはシステム情報ブロックタイプｘ（ＳＩＢｘ）を受信することを備え、ｘが、２よりも大きい値である、Ｃ２１に記載の方法。
[Ｃ３０]  ブロードキャスト制御チャネル（ＢＣＣＨ）からシステム情報ブロック（ＳＩＢ）を受信するための手段と、
マルチキャスト制御チャネル（ＭＣＣＨ）を送るために使用されるリソースを示す情報を前記ＳＩＢから取得するための手段と、
前記ＳＩＢから取得された前記情報によって示される前記リソース上で前記ＭＣＣＨを受信するための手段とを備える、マルチメディアブロードキャスト／マルチキャストサービス（ＭＢＭＳ）を受信するための装置。
[Ｃ３１]  前記ＳＩＢから取得された前記情報が、前記ＭＣＣＨが送られるサブフレーム、または前記ＭＣＣＨの繰り返し期間、または前記ＭＣＣＨの前記繰り返し期間の開始を示すオフセット、またはそれらの組合せを示す、Ｃ３０に記載の装置。
[Ｃ３２]  前記ＭＣＣＨをトランスポートするマルチキャストチャネル（ＭＣＨ）のための変調およびコーディング方式（ＭＣＳ）を前記ＳＩＢから取得するための手段と、
前記ＭＣＣＨを復元するために前記ＭＣＳに基づいて前記ＭＣＨを復号するための手段とをさらに備える、Ｃ３０に記載の装置。
[Ｃ３３]  各マルチキャストチャネル（ＭＣＨ）サブフレーム割振りパターン（ＭＳＡＰ）が対応するＭＣＨのために使用されるサブフレームを示す、少なくとも１つのＭＣＨのための少なくとも１つのＭＳＡＰを前記ＭＣＣＨから取得するための手段と、
前記少なくとも１つのＭＣＨを復元するために、前記少なくとも１つのＭＳＡＰによって示されるサブフレームを処理するための手段とをさらに備える、Ｃ３０に記載の装置。
[Ｃ３４]  少なくとも１つのマルチキャストチャネル（ＭＣＨ）のための少なくとも１つの変調およびコーディング方式（ＭＣＳ）を前記ＭＣＣＨから取得するための手段と、
前記少なくとも１つのＭＣＳに基づいて前記少なくとも１つのＭＣＨを復号するための手段とをさらに備える、Ｃ３０に記載の装置。
[Ｃ３５]    ブロードキャスト制御チャネル（ＢＣＣＨ）からシステム情報ブロック（ＳＩＢ）を受信することと、
マルチキャスト制御チャネル（ＭＣＣＨ）を送るために使用されるリソースを示す情報を前記ＳＩＢから取得することと、
前記ＳＩＢから取得された前記情報によって示される前記リソース上で前記ＭＣＣＨを受信することと
を行うように構成された少なくとも１つのプロセッサを備える、マルチメディアブロードキャスト／マルチキャストサービス（ＭＢＭＳ）を受信するための装置。
[Ｃ３６]    少なくとも１つのコンピュータに、ブロードキャスト制御チャネル（ＢＣＣＨ）からシステム情報ブロック（ＳＩＢ）を受信させるためのコードと、
前記少なくとも１つのコンピュータに、マルチキャスト制御チャネル（ＭＣＣＨ）を送るために使用されるリソースを示す情報を前記ＳＩＢから取得させるためのコードと、
前記少なくとも１つのコンピュータに、前記ＳＩＢから取得された前記情報によって示される前記リソース上で前記ＭＣＣＨを受信させるためのコードと
を備える非一時的コンピュータ可読媒体を備える、コンピュータプログラム製品。
【外国語明細書】
2014123965000001.pdf